(57)【特許請求の範囲】
【請求項１】
床面に設置される支持フレームに、便器装置の主体を構成する合成樹脂製の便器本体が取付けられ、
前記支持フレームの前記床面に設置される部分である下フレーム部が、長尺の金属製のパイプを馬蹄形状に折り曲げ、且つ、前記下フレーム部の両後端部に繋ぎ部材を架け渡してこの繋ぎ部材の両端部が前記両後端部に固定されることで構成され、
前記便器装置の後カバーの下端部の左右方向の中央部に嵌め込み部が形成され、
前記嵌め込み部が前記繋ぎ部材に上方より嵌め込まれることを特徴とする便器装置の後カバー取付け構造。
【請求項２】
前記後カバーの上部に取付け部が形成され、前記取付け部が、前記便器装置の後部構成部材に設けられた被取付け部に連結されることを特徴とする請求項１記載の便器装置の後カバー取付け構造。
【請求項３】
前記金属製のパイプの両後端部が隙間を介した状態で前記繋ぎ部材により接合され、前記隙間が形成された部分において前記嵌め込み部が嵌め込まれることを特徴とする請求項１又は請求項２記載の便器装置の後カバー取付け構造。
【発明の詳細な説明】
【技術分野】
【０００１】
本発明は、便器装置の後カバーの取付け構造に関する。
【背景技術】
【０００２】
従来から、特許文献１等により、床面に設置される支持フレーム１に、便器装置２の主体を構成する合成樹脂製の便器本体を取付けるものが知られている。
【０００３】
この特許文献１に示された従来例の便器装置２は、図８に示すようなものである。支持フレーム１は床面に設置される部分である下フレーム部４を備えており、この下フレーム部４は、予め嵌め込み孔４５を形成した長尺の金属製のパイプ５を馬蹄形状に折り曲げ、パイプ５の両後端部６に繋ぎ部材７を架け渡して溶接して接合することで構成される。
【０００４】
便器装置１の外郭の後面部分を構成する部材である後カバー８は、上記馬蹄形状に折り曲げた下フレーム部４の両後端部６に予め形成されている嵌め込み孔４５を用いて取付けられる。
【０００５】
つまり、図９のように、下フレーム部４の両後端部６に予め形成されている嵌め込み孔４５に、後カバー８の下端部に下方に突出形成した一対の嵌め込み突起４６を嵌め込んで、後カバー８の下部が取付けられる。
【先行技術文献】
【特許文献】
【０００６】
【特許文献１】特開２００８−９５４４９号公報
【発明の概要】
【発明が解決しようとする課題】
【０００７】
しかし、予め嵌め込み孔４５を形成した金属製のパイプ５を馬蹄形状に折り曲げると、パイプ５を折り曲げる際の折り曲げ誤差でパイプ５の両後端部６に形成された嵌め込み孔４５相互の位置関係が設計通りの寸法関係にならない場合がある。
【０００８】
つまり、パイプ５の折り曲げ誤差により、パイプ５両後端部６にそれぞれ予め形成されている嵌め込み孔４５間の寸法に誤差が生じたり、一方の嵌め込み孔４５が他方の嵌め込み孔４５に対して前後方向にずれたりする等の誤差が発生する。
【０００９】
したがって、後カバー８の下端部の一対の嵌め込み突起４６を、一対の嵌め込み孔４５に嵌め込むのが困難となったり、一対の嵌め込み突起４６を一対の嵌め込み孔４５に嵌め込むことができても、後カバー８の下端部の左右が前後方向にずれて後カバー８が歪変形するおそれがある。
【００１０】
このため、トイレという狭い空間において、特に、便器装置２の後部という作業し難い箇所における後カバー８の取付け作業が面倒になる。
【００１１】
本発明は上記の従来例の問題点に鑑みて発明したものであって、その目的とするところは、後カバーを歪無く簡単に取付けることが可能な便器装置の後カバーの取付け構造を提供するにある。
【課題を解決するための手段】
【００１２】
本発明の便器装置の後カバーの取付け構造は、床面に設置される支持フレームに、便器装置の主体を構成する合成樹脂製の便器本体が取付けられ、前記支持フレームの前記床面に設置される部分である下フレーム部が、長尺の金属製のパイプを馬蹄形状に折り曲げ、且つ、前記下フレーム部の両後端部に繋ぎ部材を架け渡してこの繋ぎ部材の両端部が前記両後端部に固定されることで構成され、前記便器装置の後カバーの下端部の左右方向の中央部に嵌め込み部が形成され、前記嵌め込み部が繋ぎ部材に上方より嵌め込まれることを特徴とする。
【００１３】
また、前記後カバーの上部に取付け部が形成され、前記取付け部が、前記便器装置の後部構成部材に設けられた被取付け部に連結されることが好ましい。
【００１４】
また、前記金属製のパイプの両後端部が隙間を介した状態で前記繋ぎ部材により接合され、前記隙間が形成された部分において前記嵌め込み部が嵌め込まれることが好ましい。
【発明の効果】
【００１５】
本発明は、馬蹄形状に折り曲げられた長尺の金属製のパイプの両後端部に架け渡された継ぎ部材に、後カバーの下端部の左右方向の中央部に嵌め込み部が上方より嵌め込まれることで、後カバーを歪無く簡単に取付けることが可能となる。
【図面の簡単な説明】
【００１６】
【図１】本発明の便器装置において後カバーを取付ける前の状態を示す後方から見た斜視図である。
【図２】同上の便器装置の後方から見た斜視図である。
【図３】同上の下方から見た斜視図である。
【図４】同上の後カバーの下端部を取付けた部分の斜視図である。
【図５】同上の後カバーの取付けを示す説明のための斜視図である。
【図６】同上に用いる支持フレームの斜視図である。
【図７】同上の馬蹄形状に折り曲げたパイプの両後端部を繋ぎ部材により連結した部分を示す斜視図である
【図８】同上の従来例を示す下方から見た斜視図である。
【図９】同上の後カバーの取付けを示す説明のための斜視図である。
【発明を実施するための形態】
【００１７】
以下、本発明を添付図面に示す実施形態に基づいて説明する。
【００１８】
便器装置２は、合成樹脂製の便器本体３と、洗浄水の供給装置、人体の局部を洗浄する局部洗浄装置等の便器付設装置１４と、合成樹脂製の便器本体３と便器付設装置１４を支持するための床に設置される金属製の支持フレーム１を備える。
【００１９】
図１乃至図３には便器装置２の一実施形態の全体の外観を示している。
【００２０】
合成樹脂製の便器本体３は便器装置２の主体を構成するもので、図１乃至図３に示されるように、合成樹脂製の前パーツ１５と、合成樹脂製の後パーツ１６を備える。
【００２１】
前パーツ１５は、便器装置２の前部の外郭を構成する平断面略Ｕ字状をした合成樹脂製のスカート部１７と、スカート部１７内の上部内に位置した合成樹脂製のボウル部１８と、ボウル部１８の上に位置する合成樹脂製のリム部１９で構成される。
【００２２】
スカート部１７とボウル部１８とリム部１９は溶着などで一体化され、前パーツ１５が構成される。
【００２３】
金属製の支持フレーム１は、合成樹脂製の前パーツ１５、合成樹脂製の後パーツ１６を支持するためのもので、図６に示されるように、下フレーム部４と、下フレーム部４から上方に突出した上フレーム部２０を備えている。
【００２４】
下フレーム部４は、長尺の金属製のパイプ５（角パイプ）を馬蹄形状に折り曲げ、馬蹄形状に折り曲げた下フレーム部４の両後端部６間に繋ぎ部材７を架け渡し、繋ぎ部材７の両端部を馬蹄形状に折り曲げた下フレーム部４の両後端部６に溶接することで構成される。
【００２５】
繋ぎ部材７は断面Ｌ字状をした金属材により形成され、縦片２１が両後端部６の前側片２２に当接され、且つ、上横片２３が両後端部６の上面に当接された状態で溶接により固着される。
【００２６】
ここで、図７に示すように、上横片２３の後端は、両後端部６の上面後端より前方に少しずれて位置する。
【００２７】
床に設置される下フレーム部４には前パーツ１５の下端部（スカート部１７の下端部）がボルト、ナットのような固着手段２６により連結される（図３参照）。
【００２８】
上フレーム部２０は下フレーム部４の後上部に上方に突出して形成されるもので、洗浄水の供給装置、人体の局部を洗浄する局部洗浄装置等を備えた便器付設装置１４が取付けられる。この便器付設装置１４は、ベース２７の上面に洗浄水の供給装置、人体の局部を洗浄する局部洗浄装置等を設置し、ベース２７を上フレーム部２０に直接又は他の部材を介してボルト等の連結手段で連結することで取付けられる。
【００２９】
ベース２７には合成樹脂製の上カバー２８が取付けられ、洗浄水の供給装置、人体の局部を洗浄する局部洗浄装置等を覆う。
【００３０】
便器装置２の後部の外郭を構成する合成樹脂製の後パーツ１６は、上記上カバー２８、左右両側の合成樹脂製の側カバー２４、合成樹脂製の後カバー８により構成される。
【００３１】
側カバー２４は、前記ベース２７、上カバー２８、支持フレーム１の少なくとも一つの部材又は複数部材に、係止、あるいは、固着具等により取付けられる。
【００３２】
側カバー２４の後上端は図１に示すようにＬ状に切欠してあり、この側カバー２４のＬ状の切欠部と上カバー２８の後部下端とでコ字状をした嵌め込み開口３６が形成される。
【００３３】
後カバー８には、図５に示されるように、裏面の左右方向の中央部の下端部に下面部に嵌め込み部９を備えた突片部３０が前方に向けて突出形成される。
【００３４】
図４に示される実施形態では、突片部３０の下面部の突出先端の左右両側に下方に前垂下部３１を垂設し、突片部３０の下面部の突出基部の左右方向の中央部に下方に後垂下部３２を垂設して、突片部３０と前垂下部３１と後垂下部３２で嵌め込み部９が形成される。
【００３５】
ここで、図４のように後垂下部３２の左右幅は、下フレーム部４の両後端部６間の隙間１３の幅よりも短く設定される。
【００３６】
図１に示されるように、後カバー８の上部の左右方向の両側には取付け部１０が形成される。後カバー８の左右両側の上端部には前方に向けて上側片３４が突出形成され、また、後カバー８の左右両側の上側片３４より下方位置に前方に向けて内側支持片３５が突出形成される。
【００３７】
上記構成の後カバー８は、図４に示されるように下端部の左右方向の中央部に形成された嵌め込み部９を、繋ぎ部材７に上方より嵌め込む。また、左右の上側片３４を左右の嵌め込み開口３６に嵌め込み、左右の内側支持片３５を左右の側カバー２４の後端内面に当てる。
【００３８】
このように後カバー８の下端中央を下フレーム部４に嵌め込んで位置決め支持すると共に、後カバー８の上部両側を側カバー２４、上カバー２８とに位置決めした状態で、取付け部１０を便器装置２の後部構成部材１１に設けられた被取付け部１２に取付ける。
【００３９】
添付図面の実施形態では、上カバー２８が後部構成部材１１を構成しており、上カバー２８の後端の左右から下方に被取付け部１２が垂設されている。
【００４０】
また、添付図面に示す実施形態では、取付け部１０には孔３７が設けられ、被取付け部１２のボス部分３８にねじ孔３９が設けられ、ねじ具４０を孔３７から挿入してねじ孔３９にねじ込むことで、取付け部１０を被取付け部１２に取付けている。
【００４１】
もちろん、取付け部１０と被取付け部１２の取付けは、上記のようにねじ具４０による取付けだけでなく、係止による取付けであってもよく、また、ねじ具による取付けと係止による取付けの両方を併用してもよい。
【００４２】
ここで本実施形態は、下フレーム部４の両後端部６に架け渡した繋ぎ部材７に、後カバー８の下端部の左右方向の中央部に形成された嵌め込み部９を嵌め込むことで、後カバー８の下端部を取付けるので、図８、図９の従来例に比べ、後カバー８の取付けが容易となる。
【００４３】
つまり図８、図９の従来例は、パイプ５の折り曲げ誤差でパイプ５両後端部６に形成された嵌め込み孔４５間の寸法に誤差が生じたり、嵌め込み孔４５が前後方向のずれ等の誤差が発生する。しかし、本実施形態はパイプ５の両後端部６に嵌め込み孔４５が無いので、従来のように、パイプ５の両後端部６に予め形成した嵌め込み孔４５相互の位置関係の折り曲げによる誤差を考慮する必要がない。
【００４４】
そして後カバー８の下端部の左右方向の中央部に設けた嵌め込み部９を、下フレーム部４の両後端部６に架け渡した繋ぎ部材７に上方から嵌め込むだけで、後カバー８の下端部を取付けできるので、簡単に後カバー８の下端部を下フレーム部４に取付けることができる。この場合、後カバー８は歪無く簡単に取付けられる。
【００４５】
ここで、図４に示すように、パイプ５の両後端部間の隙間１３よりも幅狭の後垂下部３２を、上横片２３の後端の隙間１３間に位置する部位に嵌め込むことで、後カバー８の下端部のおおよその位置決めを行い、この状態で、左右の上側片３４を左右の嵌め込み開口３６に嵌め込み、左右の内側支持片３５を左右の側カバー２４の後端内面に当てて位置決めすることが可能となる。したがって、トイレルームという狭い空間において、便器装置２の後カバー８を位置決めして取付けるのが容易に行える。
【符号の説明】
【００４６】
１  支持フレーム
２  便器装置
３  便器本体
４  下フレーム部
５  パイプ
６  後端部
７  繋ぎ部材
８  後カバー
９  嵌め込み部
１０  取付け部
１１  後部構成部材
１２  被取付け部
【図１】
0005658645.tif 000002
【図２】
0005658645.tif 000003
【図３】
0005658645.tif 000004
【図４】
0005658645.tif 000005
【図５】
0005658645.tif 000006
【図６】
0005658645.tif 000007
【図７】
0005658645.tif 000008
【図８】
0005658645.tif 000009
【図９】
0005658645.tif 000010